(57)【特許請求の範囲】
【請求項１】
枠及び開き戸のいずれか一方に取り付けられる受部と、枠及び開き戸の他方に取り付けられる引込み装置本体と、を備え、
前記引込み装置本体は、引き出された状態から引込み状態まで回転して受部を引き込むアームと、引き出された状態の前記アームに引き出し方向の回転力を与えると共に、引き出された状態の前記アームが引込み方向に所定角度まで回転するとき、前記アームに引込み方向の回転力を与える弾性部材と、を有する引込み装置において、
前記アームは前記受部の軸が嵌まる溝を有し、
引き出された状態の前記アームの、前記受部の軸が衝突する部位に、前記受部の軸が衝突するときの衝撃音を低減する緩衝体を設け、
前記アームの、前記受部の軸が衝突する部位のうち、前記受部の軸の軸方向の一部のみに前記緩衝体を設けることを特徴とする引込み装置。
【請求項２】
前記アームが引き出された状態から前記所定角度まで回転する間、前記緩衝体が前記受部の軸に接するように、前記緩衝体が前記アームの溝の長さ方向に長いことを特徴とする請求項１に記載の引込み装置。
【請求項３】
前記アームの溝は対向する一対の壁部を有し、
前記緩衝体は、垂直軸の回りを回転する前記アームの前記溝の一方の壁部の垂直方向の端部に止め具を介して着脱可能に取り付けられ、
前記緩衝体は、前記アームと前記アームに係合するフックを有する前記止め具との間に挟まれることを特徴とする請求項１又は２に記載の引込み装置。
【請求項４】
前記緩衝体は、前記アームに開けられる穴に嵌まる脚部と、前記アームに載せられる本体部と、を備え、
前記本体部は、前記アームの前記溝の前記一方の壁部から他方の壁部に向かって突出することを特徴とする請求項３に記載の引込み装置。
【請求項５】
前記アームは、前記受部の軸が入る溝本体を有する金属製のアーム本体と、前記アーム本体の前記溝本体の対向する一対の壁部に被さると共に、前記緩衝体を露出させる樹脂製のアームカバーと、を備えることを特徴とする請求項１ないし４のいずれかに記載の引込み装置。
【請求項６】
前記緩衝体は、前記アーム本体に開けられる穴に嵌まる脚部と、前記アーム本体に載せられる本体部と、を備え、
前記緩衝体の前記本体部は、前記アーム本体と前記アームカバーとの間に挟まれることを特徴とする請求項５に記載の引込み装置。
【請求項７】
枠及び開き戸のいずれか一方に取り付けられる受部と、枠及び開き戸の他方に取り付けられる引込み装置本体と、を備え、
前記引込み装置本体は、引き出された状態から引込み状態まで回転して受部を引き込むアームと、引き出された状態の前記アームに引き出し方向の回転力を与えると共に、引き出された状態の前記アームが引込み方向に所定角度まで回転するとき、前記アームに引込み方向の回転力を与える弾性部材と、を有する引込み装置において、
前記受部は前記アームの軸が嵌まる溝を有し、
前記受部の、引き出された状態の前記アームの軸が衝突する部位に、前記アームの軸が衝突するときの衝撃音を低減する緩衝体を設け、
前記受部の、前記アームの軸が衝突する部位のうち、前記アームの軸の軸方向の一部のみに前記緩衝体を設けることを特徴とする引込み装置。
【発明の詳細な説明】
【技術分野】
【０００１】
本発明は、建築物又は家具の開き戸の閉じ動作及び／又は開き動作が容易になるように、開き戸に引込み力を付与する引込み装置に関する。
【背景技術】
【０００２】
建築物又は家具の開き戸に引込み力を付与する引込み装置が知られている（特許文献１参照）。典型的な引込み装置は、枠及び開き戸のいずれか一方に取り付けられる受部と、枠及び開き戸の他方に取り付けられる引込み装置本体と、を備える。引込み装置本体には、引き出された状態から引込み状態まで回転して受部を引き込むアーム、及び引き出された状態のアームに引出し方向の回転力を与えると共に、引き出された状態のアームが引込み方向に所定角度まで回転するとき、アームに引込み方向の回転力を与える弾性部材が設けられる。
【０００３】
開き戸を閉めるとき、引き出された状態のアームが受部に係合する（すなわちアームの溝に受部の軸が嵌まる、又は受部の溝にアームの軸が嵌まる）と、引き出された状態のアームが引込み方向に回転する。アームが所定角度まで回転すると、弾性部材がアームに与える回転力の方向が切り替わり、アームに引込み方向の回転力が付与される。このため、アームが自動的に受部を引き込み、開き戸が自動的に閉まる。
【０００４】
出願人はこの種の引込み装置として、以下の特許文献２に開示のものを提案している。図２３に示すように、この引込み装置は、枠１０１に取り付けられる受部１０８と、開き戸１０２に取り付けられる引込み装置本体１０３と、を備える。引込み装置本体１０３には、引き出された状態から引込み状態まで回転して受部１０８を引き込むアーム１０５が設けられる。図２４（ａ）のアーム１０５の平面図に示すように、アーム１０５には受部１０８の軸１０４が嵌まる溝１０７が形成される。扉を閉めるとき、図２４（ａ）に示すように、引き出された状態のアーム１０５の溝１０７の壁部１０５ａに受部１０８の軸１０４が衝突し、アーム１０５が引込み方向に回転する。図２４（ｂ）に示すように、アーム１０５が引込み方向に所定角度まで回転すると、弾性部材がアーム１０５に与える回転力の方向が切り替わり、アーム１０５が自動的に受部１０８の軸１０４を引き込む。出願人が提案したこの引込み装置を使用すれば、開き戸１０２が自動的にかつゆっくり閉まるので、開き戸１０２の動作に高級感を醸し出すことができる。
【先行技術文献】
【特許文献】
【０００５】
【特許文献１】特開２００９−２８７２３７号公報
【特許文献２】意匠登録第１３８９００２号公報
【発明の概要】
【発明が解決しようとする課題】
【０００６】
開き戸１０２を閉めるとき、引き出された状態のアーム１０５の溝１０７の壁部１０５ａに受部１０８の軸１０４が衝突する。このとき、衝突音が発生したのでは、せっかくの高級感が台無しになる。衝突音を低減するため、図２４（ａ）に示すように、受部１０８の軸１０４にゴム製のＯリング１１０を巻き、アーム１０５の溝１０７の壁部１０５ａと受部１０８の軸１０４が衝突するときの衝撃を緩和している。
【０００７】
しかし、受部１０８の軸１０４にゴム製のＯリング１１０を巻いた引込み装置にあっては、開け閉めを繰り返す毎にＯリング１１０がアーム１０５の溝１０７の壁部１０５ａを摺りながら移動するので、Ｏリング１１０が摩耗し易いという課題がある。Ｏリング１１０の摩耗を減少させるために、出願人が提案した引込み装置では、アーム１０５の溝１０７の左右の壁部１０５ａ，１０５ｂの高さを異ならせているという工夫がなされている。すなわち、図２５（ｂ）に示すように、アーム１０５の溝１０７の左右一対の壁部１０５ａ，１０５ｂのうち、壁部１０５ｂの高さを壁部１０５ａの高さよりも低くしている。開き戸１０２を開くとき、受部１０８の軸１０４は壁部１０５ｂに沿って移動する（図２４（ｂ）参照）。壁部１０５ｂの高さを低くすることで、壁部１０５ｂとＯリング１１０とが接触しないようにすることができ、Ｏリング１１０の摩耗を低減することができる。しかし、壁部１０５ｂの高さを低くすると、壁部１０５ｂと受部１０８の軸１０４の引っ掛かり代を十分に確保できないという新たな課題が生ずる。
【０００８】
そこで本発明は、受部の軸がアームの溝に衝突するときの衝撃を緩和することができ、またアームの溝の壁部と受部の軸の引っ掛かり代も確保することができる引込み装置を提供することを目的とする。
【課題を解決するための手段】
【０００９】
上記課題を解決するために、請求項１に記載の発明は、枠及び開き戸のいずれか一方に取り付けられる受部と、枠及び開き戸の他方に取り付けられる引込み装置本体と、を備え、前記引込み装置本体は、引き出された状態から引込み状態まで回転して受部を引き込むアームと、引き出された状態の前記アームに引き出し方向の回転力を与えると共に、引き出された状態の前記アームが引込み方向に所定角度まで回転するとき、前記アームに引込み方向の回転力を与える弾性部材と、を有する引込み装置において、前記アームは前記受部の軸が嵌まる溝を有し、引き出された状態の前記アームの、前記受部の軸が衝突する部位に、前記受部の軸が衝突するときの衝撃音を低減する緩衝体を設け、前記アームの、前記受部の軸が衝突する部位のうち、前記受部の軸の軸方向の一部のみに前記緩衝体を設けることを特徴とする引込み装置である。
【００１０】
請求項２に記載の発明は、請求項１に記載の引込み装置において、前記アームが引き出された状態から前記所定角度まで回転する間、前記緩衝体が前記受部の軸に接するように、前記緩衝体が前記アームの溝の長さ方向に長いことを特徴とする。
【００１１】
請求項３に記載の発明は、請求項１又は２に記載の引込み装置において、前記アームの溝は対向する一対の壁部を有し、前記緩衝体は、垂直軸の回りを回転する前記アームの前記溝の一方の壁部の垂直方向の端部に止め具を介して着脱可能に取り付けられ、前記緩衝体は、前記アームと前記アームに係合するフックを有する前記止め具との間に挟まれることを特徴とする。
【００１２】
請求項４に記載の発明は、請求項３に記載の引込み装置において、前記緩衝体は、前記アームに開けられる穴に嵌まる脚部と、前記アームに載せられる本体部と、を備え、前記本体部は、前記アームの前記溝の前記一方の壁部から他方の壁部に向かって突出することを特徴とする。
【００１３】
請求項５に記載の発明は、請求項１ないし４のいずれかに記載の引込み装置において、前記アームは、前記受部の軸が入る溝本体を有する金属製のアーム本体と、前記アーム本体の前記溝本体の対向する一対の壁部に被さると共に、前記緩衝体を露出させる樹脂製のアームカバーと、を備えることを特徴とする引込み装置である。
【００１５】
請求項６に記載の発明は、請求項５に記載の引込み装置において、前記緩衝体は、前記アーム本体に開けられる穴に嵌まる脚部と、前記アーム本体に載せられる本体部と、を備え、前記緩衝体の前記本体部は、前記アーム本体と前記アームカバーとの間に挟まれることを特徴とする。
【００１６】
請求項７に記載の発明は、枠及び開き戸のいずれか一方に取り付けられる受部と、枠及び開き戸の他方に取り付けられる引込み装置本体と、を備え、前記引込み装置本体は、引き出された状態から引込み状態まで回転して受部を引き込むアームと、引き出された状態の前記アームに引き出し方向の回転力を与えると共に、引き出された状態の前記アームが引込み方向に所定角度まで回転するとき、前記アームに引込み方向の回転力を与える弾性部材と、を有する引込み装置において、前記受部は前記アームの軸が嵌まる溝を有し、前記受部の、引き出された状態の前記アームの軸が衝突する部位に、前記アームの軸が衝突するときの衝撃音を低減する緩衝体を設け、前記受部の、前記アームの軸が衝突する部位のうち、前記アームの軸の軸方向の一部のみに前記緩衝体を設けることを特徴とする引込み装置である。
【発明の効果】
【００１７】
請求項１に記載の発明によれば、引き出された状態のアームの、受部の軸が衝突する部位に緩衝体を設けるので、受部の軸が衝突するときの衝撃音を低減することができる。また、緩衝体がアームの溝に設けられているので、アームの溝の壁部と受部の軸の引っ掛かり代も確保することができる。
【００１８】
請求項２に記載の発明によれば、引き出された状態のアームが引込み方向に所定角度まで回転する間、受部の軸が緩衝体に接するので、衝撃音をより低減することができる。また、引込み状態のアームを引き出し方向に所定角度まで回転させるとき、弾性部材がアームに付与する回転力の方向が切り替わり、アームに引き出し方向の回転力が付与されるので、受部の軸がアームの溝の一方の壁部（引き出された状態のアームの溝の、受部の軸が衝突する側の壁部）に接する。緩衝体のアームの溝方向の長さを長くすることで、このときの衝撃音も低減できる。
【００１９】
請求項３に記載の発明によれば、緩衝体がアームの溝の一方の壁部の垂直方向の端部に配置されるので、緩衝体の取り付けが容易になる。緩衝体が垂直方向を向く受部の軸の根元近くに接するようになるので、受部の軸に作用するモーメント荷重も低減することができる。
【００２０】
請求項４に記載の発明によれば、アームに開けられる穴に緩衝体の脚部を嵌めることで、緩衝体をアームに位置決めすることができる。また、アームのプレート部はアームの溝の一方の壁部から他方の壁部に向かって突出するので、受部の軸がアームの溝の一方の壁部よりも先に緩衝体に衝突する。
【００２１】
請求項５に記載の発明によれば、アームが金属製のアーム本体を備えるので、重い開き戸を開閉するために弾性部材の弾性力が大きくなっても、アームに必要な強度を確保することができる。また、アームカバーがアーム本体の溝本体の対向する一対の壁部に被さるので、引き出された状態のアームが引込み方向に回転するときにも、引込み状態のアームが引出し方向に回転するときにも、アームと受部の軸とが金属接触するのを防止できる。
【００２３】
請求項６に記載の発明によれば、アーム本体に開けられる穴に緩衝体の脚部を嵌めることで、緩衝体をアーム本体に位置決めすることができる。また、アーム本体とアームカバーとの間で緩衝体の本体部を挟むことで、緩衝体をアーム本体に固定することができる。
【００２４】
請求項７に記載の発明によれば、受部の、引き出された状態のアームの軸が衝突する部位に緩衝体を設けるので、アームの軸が衝突するときの衝撃音を低減することができる。また、緩衝体が受部の溝に設けられているので、受部の溝の壁部とアームの軸の引っ掛かり代も確保することができる。
【図面の簡単な説明】
【００２５】
【図１】本発明の一実施形態の引込み装置の平面図
【図２】開き戸に埋め込まれる引込み装置本体の斜視図
【図３】枠に取り付けられる受座の斜視図
【図４】引込み装置本体の水平断面図
【図５】引込み装置本体の動作図（図５（ａ）はアームの引込み状態を示し、図５（ｂ）はアームが引き出される方向に回転した状態を示し、図５（ｃ）はアームが引き出された状態を示す）
【図６】受座の詳細図を示す（図６（ａ）は受座の平面図を示し、図６（ｂ）は側面図を示し、図６（ｃ）は垂直断面図を示す）
【図７】引込み装置本体のアームの分解斜視図
【図８】引込み装置本体のアームの分解斜視図
【図９】引込み装置本体のアームの詳細図（図９（ａ）は図９（ｃ）のａ−ａ線断面図を示し、図９（ｂ）はアームの平面図を示し、図９（ｃ）はアームの側面図を示し、図９（ｄ）は図９（ｂ）のｄ−ｄ線断面図を示す）
【図１０】緩衝体の詳細図（図１０（ａ）は平面図を示し、図１０（ｂ）は正面図を示し、図１０（ｃ）は側面図を示す）
【図１１】止め具の詳細図（図１１（ａ）は平面図を示し、図１１（ｂ）は正面図を示し、図１１（ｃ）は側面図を示す）
【図１２】引込み装置本体のアームに緩衝体及び止め具を取り付けた状態を示す図（図１２（ａ）は引込み装置本体の平面図を示し、図１２（ｂ）は図１２（ａ）のｂ−ｂ線断面図を示す）
【図１３】アームの溝に受座の受座軸が嵌まった状態を示す引込み装置本体の断面図
【図１４】開き戸を閉めるときのアームの挙動を示すアームの平面図（図１４（ａ）は引き出された状態のアームに受座軸が衝突した状態を示し、図１４（ｂ）はアームが引込み方向に所定角度まで回転した状態を示す）
【図１５】本発明の第二の実施形態の引込み装置の斜視図
【図１６】本発明の第二の実施形態の引込み装置本体の分解斜視図
【図１７】本発明の第二の実施形態の受座の分解斜視図
【図１８】本発明の第三の実施形態の引込み装置の引込み装置本体の斜視図
【図１９】本発明の第三の実施形態の引込み装置本体のアームの分解斜視図
【図２０】本発明の第三の実施形態の緩衝体の斜視図
【図２１】本発明の第三の実施形態のアームを示す図（図２１（ａ）はアームの平面図を示し、図２１（ｂ）は図２１（ａ）のｂ−ｂ線断面図を示し、図２１（ｃ）は図２１（ａ）のｃ−ｃ線断面図を示す）
【図２２】本発明の第三の実施形態の、開き戸を閉めるときのアームの挙動を示す平面図（図２２（ａ）は引き出された状態のアームに受座軸が衝突した状態を示し、図２２（ｂ）はアームが引込み方向に所定角度まで回転した状態を示す）
【図２３】従来の引込み装置の斜視図
【図２４】従来の引込み装置本体のアームの平面図（図２４（ａ）は引き出された状態のアームに受座軸が衝突した状態を示し、図２４（ｂ）はアームが引込み方向に所定角度まで回転した状態を示す）
【図２５】従来の引込み装置本体を示す図（図２５（ａ）は側面図を示し、図２５（ｂ）は図２５（ａ）のｂ−ｂ線断面図を示す）
【発明を実施するための形態】
【００２６】
以下添付図面に基づいて本発明の第一の実施形態の引込み装置を説明する。図１に示すように、本実施形態の引込み装置は、開き戸の閉じ動作を容易にするもので、枠１に取り付けられる受部としての受座８と、開き戸２に取り付けられる引込み装置本体３と、を備える。引込み装置本体３は、引き出された状態から引込み状態まで回転して受座８の軸としての受座軸４を引き込むアーム５を備える。
【００２７】
図２に示すように、引込み装置本体３は、開き戸２の上部に埋め込まれ、開き戸２の間口方向に細長い直方体形状に形成される。開き戸２の上部には、引込み装置本体３の形状に合わせた四角形の掘り込み２ａが加工される。掘り込み２ａに引込み装置本体３を差し込み、ねじ６で引込み装置本体３を開き戸２に固定する。引込み装置本体３には、アーム５が垂直軸５ｇの回りを回転可能に設けられる。アーム５には、受座軸４を受け入れる溝１７が形成される。アーム５が受座軸４を引き込むとき、受座軸４は溝１７に嵌まったまま溝１７に沿ってスライドする（図１参照）。
【００２８】
図３に示すように、受座８は、枠１の上部枠１ａの下面に取り付けられる。受座軸４は、受座本体７に支持されている。受座軸４と受座本体７とが受座８を構成する。上部枠１ａには、受座本体７の形状に合わせた二段階の深さを持つ断面四角形の掘り込み９が加工される。受座８は掘り込み９の中央にねじ１０で固定される。受座軸４は、その三次元的な位置（間口方向（左右方向）の位置、上下方向の位置、奥行き方向（前後方向）の位置）が調整できるようになっている。
【００２９】
引込み装置本体３の構造は以下のとおりである。図４の引込み装置本体３の水平断面図に示すように、引込み装置本体３は、ケース１１と、ケース１１に組み込まれるアームベース１２と、アームベース１２に回転可能に支持されるアーム５と、アーム５に引き出される方向及び引き込まれる方向の回転力（トルク）を与えるスライダクランク機構２１と、アーム５がゆっくり引き込まれるようにするダンパ機構２２と、を備える。
【００３０】
スライダクランク機構２１は、第一のリンク１３、スライダ１４、コイルばね１５、及びばねベース１６を備える。第一のリンク１３の一端部はアーム５にアーム５の回転軸から偏心した位置に連結され、第一のリンク１３の他端部はスライダ１４に連結される。スライダ１４はケース１１に一方向にスライド可能に支持される。弾性部材としてのコイルばね１５はスライダ１４とばねベース１６との間に介在し、スライダ１４に付勢力を与える。
【００３１】
ダンパ機構２２は、スライドブロック３１、ダンパ３２、ダンパベース３４、及びダンパ調整軸３３を備える。スライドブロック３１には、アーム５のダンパ軸５ｅが通される長孔３１ａが形成される。スライドブロック３１はケース１１に一方向にスライド可能に支持される。アーム５が回転すると、スライドブロック３１が一方向にスライドする。ダンパ３２はスライドブロック３１とダンパベース３４との間に介在する。ダンパ３２には、本体部３２ａに対してロッド３２ｂがストロークする伸縮式のダンパが用いられる。アーム５が引き込まれる方向に回転するとき、ダンパ３２が縮まり、ダンパ力が発生する。このため、アーム５が引き込まれる方向に素早く回転しようとしても、ダンパ３２がアーム５をゆっくり回転させる。ケース１１には、ダンパベース３４が結合される。ダンパベース３４には、ダンパ３２の強さを調整するためのダンパ調整軸３３が組み込まれる。ダンパ調整軸３３を回転させることによって、ダンパ３２の本体部３２ａの位置が調整される。
【００３２】
引込み装置本体３の動きは以下のとおりである。アーム５は図５（ｃ）に示す引き出された状態から図５（ａ）に示す引込み状態まで回転する。図５（ｃ）に示す引き出された状態では、スライダクランク機構２１はアーム５にさらに引き出される方向に回転力（トルク）を与える。このためアーム５の引き出された状態が保持される。受座軸４が引き出された状態のアーム５に当たると、図５（ｂ）に示すようにアーム５が引込み方向に回転する。アーム５がさらに引込み方向に所定角度まで回転し、スライダクランク機構２１の思案点を超えると、スライダクランク機構２１はアーム５に引込み方向のトルクを与える。これにより、アーム５が図５（ａ）に示す引込み状態まで自動的に回転する。引込み状態ではスライダクランク機構２１はアーム５にさらに引込み方向のトルクを与える。このためアーム５の引込み状態が維持される。
【００３３】
受座８の構造は以下のとおりである。図６は受座８の詳細図を示す。図６（ａ）は受座８の平面図を示し、図６（ｂ）は側面図を示し、図６（ｃ）は垂直断面図を示す。受座８は、受座軸４と、受座軸４を支持する受座本体７と、を備える。受座軸４はその間口方向（図６（ａ）の左右方向）の位置、上下方向の位置、奥行き方向（図６（ａ）の上下方向）の位置が調整できるようになっている。
【００３４】
図６（ｃ）に示すように、受座軸４はコイルスプリング４１によって突出した状態で軸支持体４２に入れ子式に嵌められる。軸支持体４２の外周面にはねじ４２ａが形成されていて、軸支持体４２は受座本体７の調整体４５にねじで結合される。軸支持体４２を回転させることで受座軸４の上下方向の位置を調整できる。
【００３５】
受座軸４と軸支持体４２との間にコイルスプリング４１を介在させるのは、いたずら等によって引き出された状態のアーム５が引込み状態になっても、受座軸４がアーム５の溝１７に嵌まるようにするためである。アーム５が引込み状態になった開き戸２を閉めると、受座軸４はアーム５の溝１７の脇の傾斜面５１（図１参照）を乗り越え、アーム５の溝１７に嵌まる。受座軸４が傾斜面５１を乗り越えるとき、受座軸４がコイルスプリング４１を圧縮して引っ込む。その後、受座軸４はコイルスプリング４１のばね力によって突出し、アーム５の溝１７に嵌まる。軸支持体４２には伸縮するコイルスプリング４１の歪を矯正する案内軸４９がかしめ固定される。
【００３６】
図６（ｃ）に示すように、受座本体７は、軸支持体４２がねじで結合される調整体４５と、調整体４５に奥行き方向固定ねじ４７を介して結合されるベースプレート４６と、を備える。調整体４５とベースプレート４６との接触面には、ぎざぎざ５０（連続した凹凸（図６（ａ）参照））が形成される。奥行き方向固定ねじ４７を緩めれば、受座軸４の奥行き方向の位置を調整できる。調整後、奥行き方向固定ねじ４７を締めれば、受座軸４が奥行き方向に固定される。
【００３７】
図３に示すように、受座本体７は枠１の掘り込み９に差し込まれる。掘り込み９の間口方向の長さは、受座本体７の間口方向の長さよりも長い。受座本体７には、ねじ１０が通る長孔７ａが形成される。ねじ１０を緩め、受座本体７を間口方向にスライドさせることで受座軸４の位置を間口方向に調整することができる。調整後、ねじ１０を締めれば受座軸４が間口方向に固定される。
【００３８】
引込み装置本体３のアーム５に取り付けられる緩衝体５２を説明する。図１に示すように、アーム５の表面には受座８の受座軸４が嵌まる溝１７が形成される。溝１７は、対向する一対の壁部５ａ，５ｂと、一対の壁部５ａ，５ｂの下端を繋ぐ底部５ｆと、を備える。開き戸２を閉めるとき、受座軸４は二点鎖線の軌跡Ｌに沿ってアーム５に相対的に近づき、アーム５の溝１７の一方の壁部５ａに衝突する。アーム５の溝１７の一方の壁部５ａの、受座軸４が衝突する部位に緩衝体５２が設けられる。
【００３９】
図７に示すように、緩衝体５２はアーム５の一方の壁部５ａの上端部（言い換えれば垂直方向の端部）に止め具５３を介して着脱可能に取り付けられる。図８の見る方向を変えたアーム５の分解斜視図に示すように、緩衝体５２は、アーム５の表面に開けられる穴５ｄに嵌まる脚部５２ｂと、アーム５の表面に載せられる本体部としてのプレート部５２ａと、を備える。止め具５３は、緩衝体５２の表面に載せられるプレート部５３ａと、プレート部５３ａからアーム５に向かって突出する一対のフック５３ｂと、を備える。フック５３ｂは、アーム５の穴５ｄの底に形成した係合部５ｄ１に係合する（図１２参照）。緩衝体５２はアーム５と止め具５３との間に挟まれる。
【００４０】
図９はアーム５の詳細図を示す。図９（ａ）に示すように、アーム５の溝１７の対向する一対の壁部５ａ，５ｂの表面は互いに平行である。一対の壁部５ａ，５ｂの表面間の幅は、受座軸４の直径よりも僅かに広い。一方の壁部５ａには断面四角形の複数の穴５ｄが開けられる。また、図９（ｂ）に示すように、一方の壁部５ａには、緩衝体５２のプレート部５２ａ及び止め具５３のプレート部５３ａに形状合わせた切り込み５ｃが形成される（図８参照）。図９（ｄ）に示すように、一方の壁部５ａの高さと他方の壁部５ｂの高さはほぼ等しい。他方の壁部５ｂには傾斜面５１が形成される。傾斜面５１を形成する理由は上述したとおりである。
【００４１】
図１０は緩衝体５２の詳細図を示す。図１０（ａ）に示すように、緩衝体５２のプレート部５２ａは、端部に丸みを付けた長方形に形成される。プレート部５２ａの長辺の長さは、アーム５が引き出された状態（図１４（ａ）参照）から所定角度（図１４（ｂ）参照）まで回転する間、プレート部５２ａが受座軸４に接するように決定される。緩衝体５２のプレート部５２ａは、アーム５に形成された切り込み５ｃに嵌まる（図８参照）。緩衝体５２のプレート部５２ａには、止め具５３の一対のフック５３ｂを通過させる一対の切り込み５２ａ２が形成される。図１０（ｂ）に示すように、緩衝体５２のプレート部５２ａの下面からはアーム５の複数の穴５ｄに嵌まる複数の脚部５２ｂが突出する。緩衝体５２はエラストマ製であり、樹脂製のアーム５及び樹脂製の止め具５３よりも剛性が低い。
【００４２】
図１１は止め具５３の詳細図を示す。止め具５３のプレート部５３ａは、緩衝体５２のプレート部５２ａと略同様に端部に丸みを付けた長方形に形成される。止め具５３のプレート部５３ａからは一対のフック５３ｂが突出する。
【００４３】
図１２は引込み装置本体３のアーム５に緩衝体５２及び止め具５３を取り付けた状態を示す。緩衝体５２の脚部５２ｂをアーム５の穴５ｄに嵌めることで、緩衝体５２がアーム５に水平面内で固定される。そして、止め具５３をアーム５に取り付け、緩衝体５２をアーム５と止め具５３との間に挟むことで緩衝体５２がアーム５に垂直方向に固定される。
【００４４】
図１３はアーム５の溝１７に受座軸４が嵌まった状態を示す。受座軸４はアーム５の溝１７の一方の壁部５ａと他方の壁部５ｂとの間に挟まれる。受座軸４の外周にはＯリングが巻かれていないので、溝１７の幅を図２５（ｂ）に示す従来のアーム１０５の溝１０７の幅よりも狭くすることができる。溝１７の幅が狭くなっているので、他方の壁部５ｂの傾斜面５１の傾斜角度も緩くなる。緩衝体５２の端部５２ａ１は一方の壁部５ａの壁面から他方の壁部５ｂに向かって突出していて、受座軸４が一方の壁部５ａの壁面よりも先に緩衝体５２に接するようになっている。
【００４５】
図１４は、開き戸２を閉めるときのアーム５の挙動を示す。図１４（ａ）に示すように、開き戸２を閉めるとき、引き出された状態のアーム５の溝１７の一方の壁部５ａが受座軸４に衝突する。一方の壁部５ａの受座軸４が衝突する部位には緩衝体５２が設けられているので、受座軸４が衝突するときの衝撃音を低減することができる。また、一方の壁部５ａと他方の壁部５ｂの高さもほぼ同一であり、図２５（ｂ）に示す従来の引込み装置のように他方の壁部１０５ｂの高さを低くする必要もないので、アーム５の溝１７の壁部５ａ，５ｂと受座軸４の引っ掛かり代も確保することができる。さらに、緩衝体５２はアーム５の溝１７の一方の壁部５ａの垂直方向の端部に配置されていて、垂直方向を向く受座軸４の根元近くに接するので、受座軸４に作用するモーメント荷重を低減することができる（図１３参照）。なお、図１４（ａ）に示すように、アーム５の一方の壁部５ａは他方の壁部５ｂよりもアーム５の長さ方向に長く、一方の壁部５ａの、受座軸４が衝突する部位には、他方の壁部５ｂが対向していない。しかし、アーム５の一方の壁部５ａのこの部位もアーム５の溝１７の一部であると定義する。
【００４６】
開き戸２の閉じ動作に伴って、アーム５は図１４（ａ）に示す開いた状態から図１４（ｂ）に示す所定角度（コイルばね１５がアーム５に与える回転力の方向が切り替わる角度）まで回転する。この間、受座軸４は緩衝体５２に接し続けるので、衝撃音をより低減できる。また、図２４（ａ）に示すように、受座軸１０４にＯリング１１０を巻いた従来の引込み装置では、受座軸１０４のＯリング１１０の円周方向の一部のみがアーム１０５の溝１０７の壁部１０５ａに接触するのに対し、図１４（ａ）に示すように、本実施形態の引込み装置では、受座軸４が長い距離にわたって緩衝体５２に接触する。このため、緩衝体５２の一部が集中的に摩耗することもない。
【００４７】
開き戸を開くときは、アーム５は上記とは逆の挙動を示す。すなわち、アーム５は最初に引込み状態にあり、アーム５の溝１７に受座軸４が嵌まっている。開き戸２を開くと、受座軸４がアーム５の他方の壁部５ｂに接し、アーム５を引込み状態から引き出し方向に回転させる。アーム５が図１４（ｂ）に示す所定角度まで回転するとき、コイルばね１５がアーム５に与える回転力の方向が切り替わり、アーム５に引き出し方向の回転力が付与される。このとき、アーム５が引き出される方向に回転し、受座軸４がアーム５の一方の壁部５ａに接するようになる。緩衝体５２のアーム５の溝の長さ方向の長さを長くすることで、このときも緩衝体５２が受座軸４に接するので、このときの衝撃音も低減できる。
【００４８】
図１５は本発明の第二の実施形態の引込み装置を示す。この実施形態の引込み装置は、枠１に取り付けられる引込み装置本体６１と、開き戸２に取り付けられる受部としての受座６２と、を備える。図１６に示すように、引込み装置本体６１には、引き出された状態から引込み状態まで回転して受座６２を引き込むアーム６５が設けられる。また、引込み装置本体６１には、引き出された状態のアーム６５に引き出し方向の回転力を与えると共に、引き出された状態のアーム６５が引込み方向に所定角度まで回転するとき、アーム６５に引込み方向の回転力を与える弾性部材としてのコイルばね（図示せず）が設けられる。引込み装置本体６１はカバー６９で覆われる。
【００４９】
第二の実施形態の引込み装置においては、アーム６５に溝を形成する替わりに、アーム６５に軸６６が設けられる。図１７に示すように、受座６２には、アーム６５の軸６６が嵌まる溝６７が形成される。受座６２の溝６７の、引き出された状態のアーム６５の軸６６が衝突する部位には緩衝体６８が設けられる。緩衝体６８を設けることで、アーム６５の軸６６が受座６２の溝６７の壁部に衝突するときの衝撃音を緩和することができる。また、緩衝体６８が受座６２の溝６７に設けられているので、受座６２の溝６７の壁部とアーム６５の軸６６の引っ掛かり代も確保することができる。
【００５０】
図１８は、本発明の第三の実施形態の引込み装置の引込み装置本体７９を示す。第三の実施形態の引込み装置本体７９は、重量の重い開き戸に引込み力を付与するのに用いられる。重量の重い開き戸に引込み力を付与する場合、アーム７５に引込み力を付与するためのコイルスプリングの弾性力を大きくし、アーム７５の回転を制動するダンパの制動力も大きくする必要がある。このため、アーム７５の強度も高くする必要がある。この実施形態では、アーム７５の強度を高くするためにアーム本体７６を金属製にし、アーム本体７６の少なくとも一部に樹脂製のカバー７７を被せている。
【００５１】
第三の実施形態の引込み装置本体７９も、枠及び開き戸のいずれか一方に取り付けられる。枠及び開き戸の他方に取り付けられる受座と協働して開き戸に引込み力を付与する。受座８の構造は、第一の実施形態の引込み装置の受座８（図１参照）と略同一である。引込み装置本体７９のアーム７５は、垂直軸７５ｇの回りを回転する。アーム７５には、受座軸４を受け入れる溝７５ａが形成される。
【００５２】
第一の実施形態の引込み装置と同様に、引込み装置本体７９内には、引き出された状態のアーム７５に引き出し方向の回転力を与えると共に、引き込まれた状態のアーム７５に引込み方向の回転力を与えるスライダクランク機構（弾性部材としてのコイルスプリングを含む）が組み込まれる。また、引込み装置本体７９内には、アーム７５が引込み方向に回転するとき、アーム７５をゆっくり回転させるダンパ機構が組み込まれる。スライダクランク機構及びダンパ機構の構造は、第一の実施形態の引込み装置本体と略同一であるので、その説明を省略する。
【００５３】
図１９は、アーム７５の分解斜視図を示す。アーム７５は、金属製のアーム本体７６と、アーム本体７６の少なくとも一部に被さると共に、緩衝体７８を露出させる樹脂製のアームカバー７７と、アーム本体７６と一体に回転する樹脂製のアーム軸８０と、を備える。アーム本体７６の材質は例えばＺＤＣ（亜鉛合金）であり、アームカバー７７及びアーム軸８０の材質は例えばＰＯＭ（ポリアセタール樹脂）である。アーム７５には、受座軸４が衝突するときの衝撃音を低減する緩衝体７８が設けられる。緩衝体７８の材質は例えばＴＰＵ（熱可塑性ポリウレタン樹脂）である。アーム本体７６の剛性は最も高く、アームカバー７７及びアーム軸８０の剛性はアーム本体７６の剛性よりも低く、緩衝体７８の剛性は最も低い。
【００５４】
アーム本体７６とアーム軸８０には、垂直軸７５ｇが貫通する。垂直軸７５ｇは引込み装置本体７９のケースに固定される。アーム本体７６とアーム軸８０とは、垂直軸７５ｇの回りを一体に回転する。アーム本体７６とアーム軸８０とは、第一及び第二のピン８１ａ，８１ｂによって連結される。第一のピン８１ａは、アーム７５に回転力を付与するスライダクランク機構のリンクに連結される。第二のピン８１ｂは、回転するアーム７５に制動力を付与するダンパ機構のスライドブロックに連結される。
【００５５】
金属製のアーム本体７６には、受座軸４が入る溝本体７６ａが形成される。溝本体７６ａは、対向する一対の壁部７６ａ１，７６ａ２と、底部７６ａ３と、を有する。溝本体７６ａは、アーム本体７６の長さ方向に細長い。溝本体７６ａの長さ方向の一端部は、受座軸４を受け入れるために開放する。一方の壁部７６ａ１の上面には、緩衝体７８の脚部７８ｂが嵌められる複数の穴７６ｂが開けられる。壁部７６ａ１，７６ａ２の上面には、アームカバー７７が嵌められるＵ字形の掘込み７６ｃが形成される。
【００５６】
金属製のアーム本体７６の溝本体７６ａの壁部７６ａ１，７６ａ２及び底部７６ａ３は、樹脂製のアームカバー７７で覆われる。アームカバー７７には、アーム本体７６の溝本体７６ａに形状を合わせた溝７７ａが形成される。アームカバー７７の溝７７ａは、対応する一対の壁部７７ａ１，７７ａ２と、底部７７ｂと、を有する。溝７７ａの長さ方向の一端部は、受座軸４を受け入れるために開放する。アームカバー７７の溝７７ａは、アーム７５の溝７５ａ（図１８参照）を構成する。
【００５７】
アームカバー７７の一方の壁部７７ａ１の上端部には、緩衝体７８を露出させるスリット７７ｃが形成される。アームカバー７７をアーム本体７６に固定するために、アームカバー７７の壁部７７ａ１，７７ａ２の下端には、アーム本体７６の凹部７６ｄに嵌まる弾性爪７７ｄが形成される。弾性爪７７ｄの弾性を利用して弾性爪７７ｄを凹部７６ｄに嵌め込むことによって、アームカバー７７がアーム本体７６に固定される。
【００５８】
緩衝体７８は、アーム本体７６の溝本体７６ａの一方の壁部７６ａ１の上端部に取り付けられる。図２０に示すように、緩衝体７８は、アーム本体７６に開けられる穴７６ｂに嵌まる脚部７８ｂと、アーム本体７６の上面に載せられる本体部７８ａと、を備える。図２１は、アーム本体に緩衝体７８及びアームカバー７７を取り付けた状態を示す。図２１（ｂ）の断面図に示すように、緩衝体７８の脚部７８ｂをアーム本体７６の穴７６ｂに嵌めることで、緩衝体７８がアーム本体７６に位置決めされる。図２１（ｃ）の断面図に示すように、アームカバー７７をアーム本体７６に固定し、アームカバー７７とアーム本体７６との間で緩衝体７８の本体部７８ａを挟むことで、緩衝体７８がアーム本体７６に固定される。なお、図２１（ｂ）のアームの断面図に示すように、緩衝体７８の本体部７８ａは、アームカバー７７の溝７７ａの一方の壁部７７ａ１から他方の壁部７７ａ２に向かって突出する。受座軸４がアームカバー７７に当たる前に緩衝体７８に当たるようにするためである。
【００５９】
図２２は、開き戸を閉めるときのアーム７５の挙動を示す。図２２（ａ）に示すように、開き戸を閉めるとき、受座軸４が引き出された状態のアームカバー７７の溝７７ａの一方の壁部７７ａ１に衝突する。一方の壁部７７ａ１の受座軸４が衝突する部位には緩衝体７８が設けられているので、受座軸４が衝突するときの衝撃音を低減することができる。開き戸の閉じ動作に伴って、アーム７５は図２２（ａ）に示す開いた状態から図２２（ｂ）に示す思案点（コイルスプリングがアーム７５に与える回転力の方向が切り替わる角度）まで回転する。この間、受座軸４は緩衝体７８に接し続けるので、衝撃音をより低減できる。
【００６０】
開き戸を開くときは、アーム７５は上記とは逆の挙動を示す。アーム７５は最初に引込み状態にあり、アームカバー７７の溝７７ａに受座軸４が嵌まっている。開き戸を開くと、受座軸４がアームカバー７７の他方の壁部７７ａ２に接し、アーム７５が引込み状態から引き出し方向に回転させられる。アーム７５が図２２（ｂ）に示す思案点まで回転するとき、コイルスプリングがアーム７５に与える回転力の方向が切り替わり、アーム７５に引き出し方向の回転力が付与される。このとき、アーム７５が引き出される方向に回転し、受座軸４がアーム７５の一方の壁部７７ａ１の緩衝体７８に接する。緩衝体７８のアーム７５の溝７７ａの長さ方向の長さを長くすることで、このときの衝撃音も低減できる。また、金属製のアーム本体７６の溝本体７６ａを樹脂製のアームカバー７７で覆うことで、引き出された状態のアーム７５が引込み方向に回転するときにも、引込み状態のアーム７５が引出し方向に回転するときにも、アーム本体７６と受座軸４とが金属接触するのを防止できる。
【００６１】
なお、本発明は上記実施形態に具現化されるのに限られることはなく、本発明の要旨を変更しない範囲で様々な実施形態に変更できる。
【００６２】
上記実施形態では、枠に受座を取り付け、開き戸に引込み装置本体を取り付けた例を説明したが、枠に引込み装置本体を取り付け、開き戸に受座を取り付けてもよい。
【００６３】
上記実施形態では、引込み装置本体のアームの上面に溝を形成した例を説明したが、アームの下面に溝を形成することもできる。
【００６４】
上記実施形態では、受座の受座軸にＯリングを巻いていない例を説明したが、より衝撃音を低減するために受座軸にＯリングを巻くこともできる。また、受座軸が軸線の回りを回転するようにすることもできる。
【００６５】
上記実施形態では、緩衝体を止め具を介して着脱可能にアームに取り付けた例を示したが、緩衝体をボルト等の取付け手段でアームに取り付けることもできる。摩耗した緩衝体を交換できるように緩衝体をアームに着脱可能に取り付けるのが望ましいが、緩衝体をアームに固定することもできる。
【００６６】
上記実施形態は、緩衝体の形状の一例を開示するものであり、緩衝体の形状は本発明の要旨を変更しない範囲でさまざまな形状に変更できる。
【００６７】
上記第三の実施形態では、樹脂製のアームカバーが金属製のアーム本体の溝本体の一対の壁部及び底部に被さっているが、アームカバーがアーム本体の溝本体の一対の壁部のみに被さるようにすることもできるし、アームカバーがアーム本体の溝本体の一方の壁部（緩衝体が設けられている壁部とは反対側の壁部）のみに被さるようにすることもできる。
【符号の説明】
【００６８】
１…枠
２…開き戸
３…引込み装置本体
４…受座軸（軸）
５…アーム
５ａ…一方の壁部
５ｂ…他方の壁部
１７…溝
８…受座（受部）
５２…緩衝体
５３…止め具
６１…引込み装置本体
６２…受座（受部）
６５…アーム
６６…軸
６７…溝
６８…緩衝体
７５…アーム
７６…アーム本体（アーム）
７６ａ…溝本体
７６ｂ…アーム本体の穴
７６ａ１，７６ａ２…一対の壁部
７７…アームカバー（アーム）
７８…緩衝体
７８ａ…本体部
７８ｂ…脚部
【図１】
0005851483.tif 000002
【図２】
0005851483.tif 000003
【図３】
0005851483.tif 000004
【図４】
0005851483.tif 000005
【図５】
0005851483.tif 000006
【図６】
0005851483.tif 000007
【図７】
0005851483.tif 000008
【図８】
0005851483.tif 000009
【図９】
0005851483.tif 000010
【図１０】
0005851483.tif 000011
【図１１】
0005851483.tif 000012
【図１２】
0005851483.tif 000013
【図１３】
0005851483.tif 000014
【図１４】
0005851483.tif 000015
【図１５】
0005851483.tif 000016
【図１６】
0005851483.tif 000017
【図１７】
0005851483.tif 000018
【図１８】
0005851483.tif 000019
【図１９】
0005851483.tif 000020
【図２０】
0005851483.tif 000021
【図２１】
0005851483.tif 000022
【図２２】
0005851483.tif 000023
【図２３】
0005851483.tif 000024
【図２４】
0005851483.tif 000025
【図２５】
0005851483.tif 000026